(57)【要約】【課題】使用していない信号駆動回路で消費される電力を削減する出力回路制御装置を提供することを目的とする。【解決手段】複数の信号出力端子と、前記信号出力端子毎に存在し前記信号出力端子から出力される信号を駆動する信号駆動回路と、前記信号駆動回路毎に存在し前記信号駆動回路へ電源を供給する電源ＩＣと、複数の前記電源ＩＣの出力のオン・オフ制御を行う電源制御回路と、出力される信号を駆動する前記信号駆動回路にのみ電源供給を行う旨の指令を前記電源制御回路に対し送信するマイコンとを備えた構成を有している。【選択図】図１
2007306097.tif 000002
【特許請求の範囲】
【請求項１】
複数の信号出力端子と、
前記信号出力端子毎に存在し前記信号出力端子から出力される信号を駆動する信号駆動回路と、
前記信号駆動回路毎に存在し前記信号駆動回路へ電源を供給する電源ＩＣと、
複数の前記電源ＩＣの出力のオン・オフ制御を行う電源制御回路と、
出力される信号を駆動する前記信号駆動回路にのみ電源供給を行う旨の指令を前記電源制御回路に対し送信するマイコンと、
を備えた出力回路制御装置。
【請求項２】
前記マイコンは、前記各信号出力端子に接続されたケーブルの有無を検出し、そのケーブルの有無情報にもとづいて、前記各信号駆動回路への電源の供給を制御することを特徴とする請求項1記載の出力回路制御装置。
【請求項３】
複数の信号出力端子は、ＨＤＭＩ端子、ＩＥＥＥ１３９４端子、コンポーネント出力端子、コンポジット出力端子の何れかを含む請求項1記載の出力回路制御装置。
【発明の詳細な説明】
【技術分野】
【０００１】
本発明は、地上波・衛星・ケーブル等のアナログ放送やデジタル放送の受信機で、特に複数の出力端子を持った出力回路制御装置に関するものである。
【背景技術】
【０００２】
放送のデジタル化高画質化が進み、接続される信号の種類も従来のピンジャックによるコンポジット信号接続やＳ端子信号接続に加え、Ｙ−Ｐｂ−Ｐｒのコンポーネント信号接続や、ＩＥＥＥ１３９４（ｉ−Ｌｉｎｋ）端子やＨＤＭＩ端子によるデジタル信号接続など、多種多様になっている。これら各信号は、信号特性に応じた駆動回路が個別に用いられ、信号を出力している。
【０００３】
接続される信号が複数あり、実際に使用する信号はそのうちの一部の場合、接続された信号を検出し、信号を接続することにより接続の手間を省く方法が提案されている。ディスプレイモニタでビデオ信号の接続を検出する方法が特許文献１で示されている。
【０００４】
図３に従来の出力回路制御装置の構成を示すブロック図を示す。
【特許文献１】特開平１−７３８７０号公報
【発明の開示】
【発明が解決しようとする課題】
【０００５】
しかしながら上記の従来の構成では、その時に使用されていない信号駆動回路へも使用されている信号駆動回路と同様に電源が供給されたままになっており、不必要な電力消費が行われ、省エネルギー化を図ることができないという問題点を有していた。
【０００６】
本発明は上記従来の問題点を解決するもので、使用していない信号駆動回路で消費される電力を削減する出力回路制御装置を提供することを目的とする。
【課題を解決するための手段】
【０００７】
この目的を達成するため本発明の出力回路制御装置は、複数の信号出力端子と、前記信号出力端子毎に存在し前記信号出力端子から出力される信号を駆動する信号駆動回路と、前記信号駆動回路毎に存在し前記信号駆動回路へ電源を供給する電源ＩＣと、複数の前記電源ＩＣの出力のオン・オフ制御を行う電源制御回路と、出力される信号を駆動する前記信号駆動回路にのみ電源供給を行う旨の指令を前記電源制御回路に対し送信するマイコンとを備えた構成を有している。
【０００８】
また、前記マイコンは、前記各信号出力端子に接続されたケーブルの有無を検出し、そのケーブルの有無情報にもとづいて、前記各信号駆動回路への電源の供給を制御する構成を有している。
【０００９】
さらに、複数の信号出力端子は、ＨＤＭＩ端子、ＩＥＥＥ１３９４端子、コンポーネント出力端子、コンポジット出力端子の何れかを含む構成を有している。
【発明の効果】
【００１０】
以上のように本発明は、出力する信号に対応した必要な部分の信号駆動回路にのみ電源を供給することが可能となり、不要な信号駆動回路への電源供給を止めることにより、消費電力を抑えることができるという優れた効果が得られる。
【発明を実施するための最良の形態】
【００１１】
以下、本発明の実施の形態を、図面を参照しながら説明する。
（実施の形態１）
図１は本発明の実施の形態１における出力回路制御装置の構成を示すブロック図である。尚、図３に示した従来の出力回路制御装置と同じ構成要素には同一符号を付す。ＨＤＭＩ出力端子１０１ａとＩＥＥＥ１３９４端子１０１ｂとコンポーネント出力端子１０１ｃとコンポジット出力端子１０１ｄを持つ放送受信器を示している。ユーザがＨＤＭＩ出力端子１０１ａを接続し視聴しているとする。信号を出力するのはＨＤＭＩ出力端子１０１ａのみであり、駆動回路への電源供給が必要なのもＨＤＭＩ駆動回路１０２ａのみである。ＩＥＥＥ１３９４駆動回路１０２ｂとコンポーネント駆動回路１０２ｃとコンポジット駆動回路１０２ｄへは、電源供給を停止する。この電源供給を決める情報は、ユーザの出力設定情報がマイコン１０４を通じて電源制御回路１０５へ送られる。電源制御回路１０５は各駆動回路に対して電源供給をする電源ＩＣ１０３ａ、１０３ｂ、１０３ｃ、１０３ｄの出力を制御する。この場合最も簡単な制御方法としては、マイコン１０４から供給される制御信号をＨｉｇｈとＬｏｗの２値に設定しておき、この信号を出力コントロール機能付き電源レギュレータで構成される電源ＩＣ１０３ａ、１０３ｂ、１０３ｃ、１０３ｄの制御信号として用いる。
【００１２】
なお、この電源が供給される駆動回路は１つに限定するものではない。つまりユーザがＨＤＭＩ端子１０１ａは視聴用に使用し、もうひとつの端子例えばコンポーネント端子１０１ｃを録画用に使用する場合に、２つの出力を設定していれば、対応したＨＤＭＩ駆動回路１０２ａとコンポーネント駆動回路１０２ｃの２つの駆動回路へ電源を供給する。
【００１３】
また、以上の説明では消費電力の削減を最大にするため駆動回路全体の電源供給を止める構成としたが、駆動回路全体の電源を止められない場合、駆動回路の中の個別ＩＣの電源を止める構成としても同様の効果が得られる。このようにユーザ設定情報を利用して必要の無い駆動回路への電源供給を停止することによりユーザは電源の供給を意識することなく常に最小の消費電力で機器を使用することができる。
【００１４】
以上のように実施の形態１によれば、ユーザの設定によりマイコンからの制御信号を元に、必要な駆動回路と必要で無い駆動回路へそれぞれ電源の供給を制御する電源制御回路を追加することにより、必要な駆動回路へのみ電源供給を容易にすることができる。
（実施の形態２）
図２は本発明の実施の形態２における出力回路制御装置の構成を示すブロック図である。尚、図１に示した実施の形態１の出力回路制御装置及び図３に示した従来の出力回路制御装置と同じ構成要素には同一符号を付し、またその動作説明は省略する。実施の形態１では、駆動回路への電源供給の判断をユーザの出力設定のみで行うが、実施の形態２では各出力端子に接続されているケーブルの有無とユーザの出力設定の両方によって判別する場合を示す。ケーブルが接続されていない場合は、ユーザ設定の如何にかかわらず出力を止めることにより、もしユーザが誤ってケーブルが接続されていない端子に出力を設定した場合でも消費電力を低減することができる。
【００１５】
以上のように実施の形態２によれば、ユーザの設定によるマイコンからの情報に加え、各出力端子のケーブル接続の有無を判断して、必要な駆動回路と必要で無い駆動回路へそれぞれ電源の供給を制御する電源制御回路を追加することにより、必要な駆動回路へのみ電源供給を容易にすることができる。
【産業上の利用可能性】
【００１６】
本発明の出力回路制御装置は、出力する信号に対応した必要な部分の信号駆動回路にのみ電源を供給することが可能となり、不要な信号駆動回路への電源供給を止めることにより、消費電力を抑えることができるという優れた効果を有しているため、映像出力回路部分のみでなく、音声回路など複数の出力方法から選択して出力する機器においても適用できる。
【図面の簡単な説明】
【００１７】
【図１】本発明の実施の形態１における出力回路制御装置の構成を示すブロック図
【図２】本発明の実施の形態２における出力回路制御装置の構成を示すブロック図
【図３】従来の出力回路制御装置の構成を示すブロック図
【符号の説明】
【００１８】
１０１ａ    ＨＤＭＩ端子
１０１ｂ    ＩＥＥＥ１３９４端子
１０１ｃ    コンポーネント出力端子
１０１ｄ    コンポジット出力端子
１０２ａ    ＨＤＭＩ駆動回路
１０２ｂ    ＩＥＥＥ１３９４駆動回路
１０２ｃ    コンポーネント信号駆動回路
１０２ｄ    コンポジット信号駆動回路
１０３ａ    ＨＤＭＩ駆動回路用電源ＩＣ
１０３ｂ    ＩＥＥＥ１３９４駆動回路用電源ＩＣ
１０３ｃ    コンポーネント信号駆動回路用電源ＩＣ
１０３ｄ    コンポジット信号駆動回路用電源ＩＣ
１０４    マイコン
１０５    電源制御回路
【図１】
2007306097.tif 000003
【図２】
2007306097.tif 000004
【図３】
2007306097.tif 000005